(57)【要約】【課題】表示内容だけで機能の動作と設定値との関係を把握することが可能な空調コントローラを提供する。【解決手段】データベース７３は、空気調和装置１００に実行させる機能の動作を説明する動作説明データＤ４２ａと、機能の動作の説明と設定される値との関係を説明する関係説明データＤ４２ｂと、設定表示レイアウトデータＤ４２と、を格納している。ＬＣＤ７５は、設定表示レイアウトデータＤ４２に従って説明表示領域Ｄ４２１に動作説明データＤ４２ａおよび関係説明データＤ４２ｂを表示させたままで、十字キー１１から受付けた数値データを設定表示領域Ｄ４２２に表示させる。【選択図】図１４
2008196779.tif 000002
【特許請求の範囲】
【請求項１】
空気調和装置（１００）を操作する空調コントローラ（１）であって、
前記空気調和装置（１００）に実行させる機能の動作を説明する動作説明データ（Ｄ４２ａ）と、前記機能の動作の説明と設定される値との関係を説明する関係説明データ（Ｄ４２ｂ）と、設定される値を表示する設定表示領域（Ｄ４２２）と前記動作説明データおよび関係説明データを表示するための説明表示領域（Ｄ４２１）とを有する設定表示レイアウトデータ（Ｄ４２）と、を格納した記憶部（７３）と、
数値データの設定を受付けるデータ受付部（１１ｕ、１１ｄ）と、
前記設定表示レイアウトデータ（Ｄ４２）に従って前記説明表示領域（Ｄ４２１）に前記動作説明データ（Ｄ４２ａ）および前記関係説明データ（Ｄ４２ｂ）を表示させたままで、前記データ受付部（１１ｕ、１１ｄ）が受付けた数値データを前記設定表示領域（Ｄ４２２）に表示させる表示部（７５、７０）と、
を備えた空調コントローラ（１）。
【請求項２】
前記記憶部（７３）は、前記動作説明データ（Ｄ４２ａ）と対応付けて機能毎のタイトルデータ（Ｄ４２ｃ）をさらに格納しており、
前記設定表示レイアウトデータ（Ｄ４２）は、前記タイトルデータを表示するためのタイトル表示領域（Ｄ４２３）をさらに有し、
前記表示部（７５、７０）は、前記設定表示レイアウトデータ（Ｄ４２）に従って、前記説明表示領域（Ｄ４２１）に前記動作説明データ（Ｄ４２ａ）および前記関係説明データ（Ｄ４２ｂ）を、前記タイトル表示領域（Ｄ４２３）に前記タイトルデータ（Ｄ４２ｃ）をそれぞれ表示させたままで、前記データ受付部（１１ｕ、１１ｄ）が受付けた数値データを前記設定表示領域（Ｄ４２２）に表示させる、
請求項１に記載の空調コントローラ（１）。
【請求項３】
前記設定表示レイアウトデータ（Ｄ４２）は、前記設定表示領域（Ｄ４２２）を複数有しており、
前記関係説明データ（Ｄ４２ｂ）は、前記複数の設定表示領域（Ｄ４２２）毎に複数設けられており、
前記表示部（７５、７０）は、前記設定表示レイアウトデータ（Ｄ４２）に従って前記説明表示領域（Ｄ４２ａ）に前記動作説明データ（Ｄ４２ａ）および複数の前記関係説明データ（Ｄ４２ｂ）を表示させたままで、前記データ受付部（１１ｕ、１１ｄ）が受付けた複数の数値データを対応する前記設定表示領域（Ｄ４２２）毎に表示させる、
請求項１または２に記載の空調コントローラ（１）。
【請求項４】
前記記憶部（７３）は、前記機能の内容を説明する機能内容説明データ（Ｄ４２ｄ）と、前記機能内容説明データ（Ｄ４２ｄ）を表示するための機能内容説明レイアウトデータ（Ｄ４１）と、前記機能内容説明レイアウトデータ（Ｄ４１）に直接リンクされている機能内容説明タイトル（Ｄ３ｂ）および前記設定表示レイアウトデータ（Ｄ４２）に直接リンクされている設定タイトル（Ｄ３ａ）を表示する選択レイアウトデータ（Ｄ３）と、を格納しており、
前記データ受付部（１１ｕ、１１ｄ）は、前記機能内容説明タイトル（Ｄ３ｂ）と前記設定タイトル（Ｄ３ａ）とのいずれかの選択データを受け付け、
前記表示部（７５、７０）は、前記選択レイアウトデータ（Ｄ３）に従った表示を行いつつ、前記データ受付部（１１ｕ、１１ｄ）において前記機能内容説明タイトル（Ｄ３ｂ）が選択された場合前記機能内容説明レイアウトデータ（Ｄ４１）に従った表示を行い、前記データ受付部（１１ｕ、１１ｄ）において前記設定タイトル（Ｄ３ａ）が選択された場合には前記設定表示レイアウトデータ（Ｄ４２）に従った表示を行う、
請求項１から３のいずれか１項に記載の空調コントローラ（１）。
【発明の詳細な説明】
【技術分野】
【０００１】
本発明は、空気調和装置を操作する空調コントローラに関する。
【背景技術】
【０００２】
従来、空気調和装置のコントローラとして、液晶表示部を有するものが知られている。このようなコントローラは、操作ボタン等が設けられ、設定入力されたデータが液晶表示部に表示され、ユーザが、表示内容を確認することができるようになっている。
【０００３】
また、例えば、以下に示す特許文献１に記載の空気調和装置のコントローラでは、機能を実現するに当たってユーザによって設定入力される数値データと伴に、当該機能の内容を示すデータが一画面において表示されるという構成を採用している。
【特許文献１】特開２００６−７１２２５号公報（段落番号００４０、図９参照）
【発明の開示】
【発明が解決しようとする課題】
【０００４】
しかし、上記特許文献１に記載の空調コントローラでは、単に、数値データと機能の内容を示すデータのみが一緒に表示されているのみであるため、例えば、「１５：００」という数値データと、「切れる」という機能の内容を示すデータのみが表示されているだけでは、ユーザは、１５分後に切れるのか、１５時になったら切れるのか、を判別することができない。このため、ユーザは、取り扱い説明書などを参照して、表示内容の詳細な意味を確認しなければならない。
【０００５】
本発明は、上述した点に鑑みてなされたものであり、本発明の課題は、表示内容だけで機能の動作と設定値との関係を把握することが可能な空調コントローラを提供することにある。
【課題を解決するための手段】
【０００６】
第１発明に係る空調コントローラは、空気調和装置を操作する空調コントローラであって、記憶部と、データ受付部と、表示部とを備えている。記憶部は、空気調和装置に実行させる機能の動作を説明する動作説明データと、機能の動作の説明と設定される値との関係を説明する関係説明データと、設定表示レイアウトデータと、を格納している。この設定表示レイアウトデータは、設定される値を表示する設定表示領域と、動作説明データおよび関係説明データを表示するための説明表示領域とを有している。データ受付部は、数値データの設定を受付ける。表示部は、設定表示レイアウトデータに従って説明表示領域に動作説明データおよび関係説明データを表示させたままで、データ受付部が受付けた数値データを設定表示領域に表示させる。
【０００７】
ここでは、データ受付部が設定を受け付けた数値データを、表示部において単独で表示するのではなく、設定表示レイアウトデータに含まれる設定表示領域と説明表示領域との各表示領域を用いて、動作説明データと関係説明データとともに受け付けた数値データを表示させる。このため、単に数値が表示されるだけでなく、空気調和装置に実行させる機能の動作の説明と、機能の動作の説明と数値との関係が説明されているため、ユーザは、設定数値が空気調和装置のどのような機能の動作における設定なのか、容易に把握することができる。
【０００８】
これにより、設定表示流域には、データ受付部が受け付けたデータが表示されていくため、ユーザは、空気調和装置のどのような機能の動作における設定を行っているのか表示部の表示を視認して容易に把握しながら設定することが可能になる。
【０００９】
第２発明に係る空調コントローラは、第１発明の空調コントローラであって、記憶部は、動作説明データと対応付けて機能毎のタイトルデータをさらに格納している。設定表示レイアウトデータは、タイトルデータを表示するためのタイトル表示領域をさらに有している。表示部は、設定表示レイアウトデータに従って、説明表示領域に動作説明データおよび関係説明データを、タイトル表示領域にタイトルデータをそれぞれ表示させたままで、データ受付部が受付けた数値データを設定表示領域に表示させる。
【００１０】
ここでは、さらに、タイトル表示領域に、ユーザが設定を行っている最中の機能に対応したタイトルデータが伴に表示される。
【００１１】
これにより、タイトルによっても容易に設定中の機能を把握できるため、ユーザの使い勝手を向上させることが可能になる。
【００１２】
第３発明に係る空調コントローラは、第１発明または第２発明の空調コントローラであって、設定表示レイアウトデータは、設定表示領域を複数有している。関係説明データは、複数の設定表示領域毎に複数設けられている。表示部は、設定表示レイアウトデータに従って説明表示領域に動作説明データおよび複数の関係説明データを表示させたままで、データ受付部が受付けた複数の数値データを対応する設定表示領域毎に表示させる。
【００１３】
ここでは、設定表示領域が複数同時に表示されているため、ユーザがそれぞれの値をデータ受付部から入力する場合において、ユーザは、複数の設定表示領域のうち入力を済ませた値を把握しながら未入力の設定表示領域の設定を行うことができる。
【００１４】
これにより、ユーザは、各設定数値との関係を把握しながらデータ受付部において設定入力を行うことが可能になる。
【００１５】
第４発明に係る空調コントローラは、第１発明から第３発明のいずれかの空調コントローラであって、記憶部は、機能の内容を説明する機能内容説明データと、機能内容説明データを表示するための機能内容説明レイアウトデータと、機能内容説明レイアウトデータに直接リンクされている機能内容説明タイトルおよび設定表示レイアウトデータに直接リンクされている設定タイトルを表示する選択レイアウトデータと、を格納している。データ受付部は、機能内容説明タイトルと設定タイトルとのいずれかの選択データを受け付ける。表示部は、選択レイアウトデータに従った表示を行いつつ、データ受付部において機能内容説明タイトルが選択された場合機能内容説明レイアウトデータに従った表示を行い、データ受付部において設定タイトルが選択された場合には設定表示レイアウトデータに従った表示を行う。
【００１６】
ここでは、選択レイアウトデータにおいて機能内容説明タイトルと設定タイトルとが表示されている状態で、各タイトルのいずれかの選択をデータ受付部において受け付ける。そして、各タイトルデータには、データが直接リンクされているため、選択に応じて機能内容説明データが機能内容説明レイアウトデータにおいて直接表示されたり、動作説明データや関係説明データや数値データを設定表示レイアウトデータにおいて表示させることができる。この場合、機能内容説明レイアウトデータを表示させた後に、上位の階層に一つだけ戻って、設定表示レイアウトデータの表示に推移することができる。
【００１７】
これにより、上位の階層に大幅に戻るような操作を行うことなく、各表示を行うことが可能になる。
【発明の効果】
【００１８】
第１発明の空調換気装置では、設定表示流域には、データ受付部が受け付けたデータが表示されていくため、ユーザは、空気調和装置のどのような機能の動作における設定を行っているのか表示部の表示を視認して容易に把握しながら設定することが可能になる。
【００１９】
第２発明の空調換気装置では、タイトルによっても容易に設定中の機能を把握できるため、ユーザの使い勝手を向上させることが可能になる。
【００２０】
第３発明の空調換気装置では、ユーザは、各設定数値との関係を把握しながらデータ受付部において設定入力を行うことが可能になる。
【００２１】
第４発明の空調換気装置では、上位の階層に大幅に戻るような操作を行うことなく、各表示を行うことが可能になる。
【発明を実施するための最良の形態】
【００２２】
以下、本発明の空気調和装置１００の操作を行う空調コントローラ１の一実施形態について、図面に基づいて説明する。
【００２３】
＜全体概略構成＞
図１に空気調和装置１００と、空気調和装置１００を操作する空調コントローラ１の概略構成図を示す。また、図２に、空気調和装置１００と空調コントローラ１との関係を示す機能ブロック図を示す。
【００２４】
ここで、空気調和装置１００は、室外機２と、この室外機２に冷媒配管や通信線を介して接続された複数の室内機３ａ、３ｂ、３ｃと、を備えている。そして、室内機３ａには、空調運転設定の操作を行う空調コントローラ１ａが通信線８ａを介して接続されている。同様に、室内機３ｂには、空調運転設定の操作を行う空調コントローラ１ｂが通信線８ｂを介して接続され、室内機３ｃには、空調運転設定の操作を行う空調コントローラ１ｃが通信線８ｃを介して接続されている。また、各空調コントローラ１ａ〜１ｃは、通信線８ａ〜ｃを介して、それぞれ電源が供給されており、常時電力を確保することができるようになっている。
【００２５】
＜空調コントローラ１の構成＞
空調コントローラ１の機能ブロック図を、図３に示す。
【００２６】
空調コントローラ１は、ネットワークＮを通じて、通信部７４、制御部７０、ＲＯＭ７１、ＲＡＭ７２、データベース７３、ＬＣＤ７５、各種操作ボタン１１〜１６を備えている。
【００２７】
通信部７４は、上述した通信線８を介して室内機３と接続されており、空調コントローラ１からの設定情報を送信したり、空気調和装置１００の運転状態のデータの読み込み等を行う。
【００２８】
データベース７３には、空気調和装置１００の有する各種機能を実行させるに際して、設定を行う場合に必要となるデータやレイアウトデータが格納されている。
【００２９】
レイアウトデータとしては、上位階層から順に、基本レイアウトデータＤ、メインメニューレイアウトデータＤ１、詳細機能選択レイアウトデータＤ２、設定上位レイアウトデータＤ３、機能内容説明レイアウトデータＤ４１、設定表示レイアウトデータＤ４２、設定表示レイアウトデータＤ４２に直接リンクされてたデータ形式の設定タイトルデータＤ３ａを表示する設定上位レイアウトデータＤ３等を予め格納している。
【００３０】
さらに、後述するように、設定表示レイアウトデータＤ４２に直接リンクされている設定タイトルデータＤ３ａ、機能内容説明レイアウトデータＤ４１の表示に際して内容が表示されることになる機能内容説明データＤ４２ｄ、機能内容説明レイアウトデータＤ４１に直接リンクされている機能内容説明タイトルデータＤ３ｂ、機能内容説明レイアウトデータＤ４１によって表示される際に示される動作説明データＤ４２ａ、関係説明データＤ４２ｂ、機能毎のタイトルデータＤ４２ｃ、１または複数の設定表示領域データＤ４２２、動作説明データＤ４２ａおよび関係説明データＤ４２ｂを表示するための説明表示領域データＤ４２１、タイトル表示領域データＤ４２３、等が格納されている。
【００３１】
ＬＣＤ７５は、図４にしめすように、液晶表示部であって、各種操作ボタン１１〜１６を介して入力されたデータに基づいて、もしくは、通信部７４が通信によって空気調和装置１００から受信するデータ等に基づいて、制御部７０がデータ処理を行うことで、図４〜図１６のデータが表示される。
【００３２】
各種操作ボタン１１〜１６は、具体的には、図４に示すように、十字キー１１（１１ｕ、１１ｄ、１１ｌ、１１ｒ）、確定ボタン１２、運転／停止ボタン１３、キャンセルボタン１４、運転切換ボタン１５、風量調節ボタン１６等が備えられており、各キーから入力された情報は、制御部７０によって処理されることになる。
【００３３】
このうち、十字キー１１は、カーソル入力が可能なキーであって、カーソルを上方に移動させたり設定数値を上げる機能を有する上方キー１１ｕと、カーソルを下方に移動させたり、設定数値を下げる機能を有する下方キー１１ｄと、カーソルを左方に移動させたり、選択された項目についての設定画面に移行させる等の機能を有する左方キー１１ｌと、カーソルを右方に移動させたり、選択された画面表示から一階層上方の階層に戻る機能を有する右方キー１１ｒと、を備えている。
【００３４】
確定ボタン１２は、制御部７０とＬＣＤ７５にメニュー選択画面表示をさせたり、設定等に際して下位の階層に掘り下げていく機能を有している。
【００３５】
運転／停止ボタン１３は、空気調和装置１００の運転／停止の切り換えを制御部７０に実行させる機能を有している。
【００３６】
キャンセルボタン１４は、制御部７０とＬＣＤ７５に各種設定モードをキャンセルして基本画面表示に移行させる処理を行わせたり、一つ上位の階層に戻らせる機能を有している。
【００３７】
運転切換ボタン１５は、空気調和装置１００に実行させる運転について、冷房運転と暖房運転等の運転の切換を制御部７０に行わせる機能を有している。
【００３８】
風量調節ボタン１６は、制御部７０に空気調和装置１００の風量を調節させる機能を有している。
【００３９】
（基本表示画面）
図４に、基本画面表示を行っている空調コントローラ１の様子を示す。
【００４０】
ここでは、データベース７３に格納されている基本レイアウトデータＤに基づいた制御部７０によるＬＣＤ７５への表示出力によって、データ処理によって、運転モード（冷房）と、設定温度（２６℃）、および運転速度（急）の情報が表示されている。この状態で、十字キー１１の上方キー１１ｕを押すと、設定温度が１℃ずつ上昇設定され、下方キー１１ｄを押すと、設定温度が１℃ずつ下降設定され、十字キー１１の上方キー１１ｕ、１１ｄは、設定温度の入力ダイレクトキーとして機能する。また、この状態で、確定ボタン１２を押すと、メニュー選択画面に遷移する。
【００４１】
（メニュー選択表示画面）
図５に、メニュー選択画面表示を行っている空調コントローラ１の様子を示す。
【００４２】
ここでは、データベース７３に格納されたメインメニューレイアウトデータＤ１に基づいた制御部７０によるＬＣＤ７５への表示出力によって、メニュー選択画面が表示される。ここでは、「風向設定」、「換気」、「タイマー設定」、「省エネ設定」、「便利機能」、「時計」等の各種メニュータイトルが列挙されるようにして表示される。
【００４３】
この様な表示がされている状態では、十字キー１１の上方キー１１ｕと下方キー１１ｄは、図６に示すように、上下方向にカーソルを移動させることができ、各種メニュータイトルの中から、いずれかのメニューを選択することができる。そして、選択したいメニューにカーソルを合わせた状態（ここでは、例えば、「タイマー設定」）で確定ボタンを押すと、図７に示すように、制御部７０によって詳細機能選択レイアウトデータＤ２に基づいたＬＣＤ７５への詳細機能選択画面表示（「タイマー設定」に関する機能の表示）が行われるようになる。ここで、「タイマー設定」機能では、空気調和装置１００の運転を自動的に所定の時刻の間だけ行わせることを事前に設定しておける機能である。
【００４４】
（詳細機能選択画面）
図７に示すように、詳細機能選択画面では、「タイマー設定」に関する機能の表示が行われる。ここで、再度、上方キー１１ｕ、下方キー１１ｄを用いて、カーソルを移動させ、例えば、「スケジュールタイマー」を選択して確定ボタン１２を押すと、図８に示すように、制御部７０によって設定上位レイアウトデータＤ３に基づいたＬＣＤ７５への設定上位画面表示（「スケジュールタイマー」に関する表示）が行われるようになる。
【００４５】
（設定上位画面）
図８に示すように、設定上位画面では、制御部７０は、スケジュールタイマーに関する各種設定に遷移させるための表示をデータベース７３の設定タイトルデータＤ３ａ（データベース７３において設定表示レイアウトデータＤ４２に直接リンクされて格納されているデータ）に基づいてＬＣＤ７５に対して行い、スケジュールタイマーの機能内容を説明する画面に遷移させるための表示をデータベース７３の機能内容説明タイトルデータＤ３ｂ（データベース７３において機能内容説明レイアウトデータＤ４１に直接リンクされて格納されているデータ）に基づいてＬＣＤ７５に対して行う。
【００４６】
さらに、制御部７０は、設定表示レイアウトデータＤ４２による表示領域の一部として、データベース７３に格納されているタイトル表示領域データＤ４２３に基づいて、タイトル表示を行う場所を確保し、機能毎のタイトルデータＤ４２ｃに基づいて、選択されている機能のタイトル（ここでは、「スケジュールタイマー」）を表示させる。
【００４７】
ここでも、十字キー１１の上方キー１１ｕと下方キー１１ｄとによってカーソルの位置を移動させて「機能説明」や「毎日条件設定」、「有効／無効設定」等を選択する。ここで、「機能説明」が選択された状態で確定ボタン１２が押されると、図９に示すように、機能内容説明タイトルデータＤ３ｂが機能内容説明レイアウトデータＤ４１に直接リンクされているため、機能内容説明画面に推移し、「毎日条件設定」が選択された状態で確定ボタン１２が押されると、図１０に示すように、設定タイトルデータＤ３ａが設定表示レイアウトデータＤ４２に直接リンクされているため、設定表示画面に推移する。
【００４８】
（機能内容説明画面）
図９に、設定内容説明画面表示を行っている空調コントローラ１の様子を示す。
【００４９】
ここでは、制御部７０は、データベース７３に格納されている機能内容説明レイアウトデータＤ４１に基づいた画面レイアウトによる表示出力を行いつつ、具合的な説明内容は、対応する機能内容説明データＤ４２ｄに基づいて表示を行う。ここで、具体的には、機能内容説明レイアウトデータＤ４１による表示は図９のＬＣＤ７５の表示の各枠等の表示に対応し、機能内容説明データＤ４２ｄによる表示は図９のＬＣＤ７５の表示の「入時刻と切時刻が、一日４回、曜日毎に設定可能。」という表示に対応している。
【００５０】
ここで、キャンセルボタン１４や十字キー１１の左方キー１１ｌを押すと、上位の設置画上位画面に推移でき、そこで「毎日条件設定」を選択することで、ユーザは、機能の説明を把握してすぐに簡単な操作で設定画面までたどり着くことができる。
【００５１】
なお、制御部７０が、設定表示レイアウトデータＤ４２による表示領域の一部として、タイトル表示領域データＤ４２３と機能毎のタイトルデータＤ４２ｃとに基づいて、選択されている機能のタイトル（ここでは、「スケジュールタイマー」）を表示させる点は同様である。
【００５２】
（設定表示画面）
図１０に、設定表示画面表示を行っている空調コントローラ１の様子を示す。
【００５３】
ここでは、制御部７０は、データベース７３に格納されている設定表示レイアウトデータＤ４２に基づいた画面レイアウトによる表示出力を行いつつ、具合的な説明内容は、対応する動作説明データＤ４２ａ、関係説明データＤ４２ｂ、機能毎のタイトルデータＤ４２ｃ、に基づいて表示を行う。ここで、具体的には、設定表示レイアウトデータＤ４２による表示は図１０のＬＣＤ７５の表示の各枠等の表示に対応し、動作説明データＤ４２ａ、関係説明データＤ４２ｂによる表示は図１０のＬＣＤ７５の表示の「入時刻、切時刻」という表示に対応している。
【００５４】
また、図１０に示すように、制御部７０は、設定表示レイアウトデータＤ４２に基づいた画面レイアウトによる表示出力を行いつつ、動作説明データＤ４２ａ、関係説明データＤ４２ｂ、機能毎のタイトルデータＤ４２ｃ、に基づいた表示を行いつつ、同一表示画面上において、操作機能が割り当てられている。ここでの操作機能の割り当ては、十字キー１１の各方向のキー１１ｕ、１１ｄ、１１ｌ、１１ｒおよび確定ボタン１２それぞれに対して、上記設定表示レイアウトデータＤ４２、動作説明データＤ４２ａ、関係説明データＤ４２ｂ、機能毎のタイトルデータＤ４２ｃ、に基づいた表示を行っている間において操作された場合の機能である。具体的には、十字キー１１の上方キー１１ｕおよび下方キー１１ｄに対しては、カーソル位置の内容の変更機能が割り当てられている。また、十字キー１１の右方キー１１ｒには、表示画面を下位の階層に遷移させる機能が割り当てられている。さらに、確定ボタン１２に対しては、表示画面を設定上位画面に遷移させる機能が割り当てられている。
【００５５】
ここで、データベース７３に予め格納されている動作説明データＤ４２ａと関係説明データＤ４２ｂに基づいた表示出力は、データベース７３に予め格納されている設定表示レイアウトデータＤ４２に設けられた説明表示領域データＤ４２１に基づく表示領域においてなされる。また、設定表示領域データＤ４２２に基づく表示領域においては、十字キー１１の上方キー１１ｕ、下方キー１１ｄによって入力されたデータに基づいた表示がなされ。ユーザが十字キー１１を操作するたびに表示される値が変化する。すなわち、ここでは、ユーザは、設定表示画面を見ながら、タイマー設定のスケジュールの全体構成を把握しつつ、十字キー１１によって設定入力を行うことができる。
【００５６】
なお、制御部７０が、設定表示レイアウトデータＤ４２による表示領域の一部として、タイトル表示領域データＤ４２３と機能毎のタイトルデータＤ４２ｃとに基づいて、選択されている機能のタイトル（ここでは、「スケジュールタイマー」）を表示させる点は同様である。
【００５７】
（他の表示例）
―設定温度自動復帰機能について―
ここでは、上記「スケジュールタイマー」の表示に対する他の例として、「設定温度自動復帰」機能の表示について説明する。「設定温度自動復帰」機能は、所定時間の間はユーザの入力した一時的な設置温度のモードで運転を行いつつ、所定時間後には設定温度が所定の温度に自動的に戻るようにすることができる機能である。
【００５８】
図１１に、メニュー選択画面が表示された空調コントローラ１の様子を示す。
【００５９】
ここで、「省エネ設定」にカーソルが合わされて選択されることで、「省エネ設定」の詳細機能選択画面に推移する。
【００６０】
図１２に、詳細機能選択画面が表示された空調コントローラ１の様子を示す。
【００６１】
ここで、「設定温度自動復帰」にカーソルが合わされて選択されることで、「設定温度自動復帰」の設定上位画面に遷移する。
【００６２】
図１３に、設定上位画面が表示された空調コントローラ１の様子を示す。
【００６３】
ここで、「機能説明」が選択された場合には、「スケジュールタイマー」の説明で上述したように、「設定温度自動復帰」の具体的な機能の内容が表示されることになる（図１５参照）。他方、ここで、設定タイトルデータＤ３ａによって表示されている「条件設定（冷房時）」にカーソルが合わされて選択されることで、設定タイトルデータＤ３ａが直接リンクされている設定表示レイアウトデータＤ４２に基づいて、設定表示画面に遷移する。
【００６４】
図１４に、設定表示画面が表示された空調コントローラ１の様子を示す。
【００６５】
ここでは、制御部７０は、設定表示レイアウトデータＤ４２に基づいて、説明表示領域データＤ４２１には、動作説明データＤ４２ａと関係説明データＤ４２ｂとに基づいた表示出力を行い、設定表示領域データＤ４２２には、十字キー１１の上方キー１１ｕ、下方キー１１ｄによって入力されたデータに基づいた表示出力を行う。具体的には、図１４に示す「冷房設定温度が」、「戻る」という表示が動作説明データＤ４２ａによる表示出力に対応し、「分後に」、｛℃に｝という表示が関係説明データＤ４２ｂによる表示に対応し、「３０」、「２８」の表示が十字キー１１によって入力された設定数値データに対応する。ここで、動作説明データＤ４２ａは、選択された「設定温度自動復帰」の機能の概要説明を表示しており、十字キー１１による入力データは、設定数値データに対応している。そして、関係説明データＤ４２ｂは、「設定温度自動復帰」の機能の概要説明と、設定数値データとの関係を対応づける役目を果たしている。これにより、単に、数値データとして「３０」、「２８」が表示されただけでは、ユーザは単位や時刻なのか時間なのか不明であるが、「分後に」、「℃に」という関係説明データによる表示があることで、設定内容を明確に把握することができる。また、動作説明データＤ４２ａによる「設定温度自動復帰」の機能の概要説明と、関係説明データＤ４２ｂによる関係付け、十字キー１１による入力数値データとが、制御部７０によってＬＣＤ７５の一画面上に、これら全ての情報が一度に表示されているため、ユーザは、設定内容を一度に容易に把握することができる。
【００６６】
また、ここでは、「分後に」の前の設定表示領域データＤ４２２と、「℃に」の前の設定表示領域データとの二つが、一画面上に複数の設定表示領域が示されている。そして、これらの各設定表示領域に対する入力は、十字キー１１の左方キー１１ｌと、右方キー１１ｒとを押してカーソルをいずれかに合わせることで、いずれの設定を行うのかをユーザが把握できる。しかも、一方の入力が終わり、他方の入力をする際に、先に入力したデータが一画面上に表示されたままなので、ユーザは先に入力した値を参照しながら、他の値を入力できる。ここでは、「３０分後に」、「２８℃に」という例を示しているが、例えば、「１５分後」と入力した後で、多少低めの温度である「２４℃に」と設定したい場合でも、ユーザは１５分後における設定であることを視認しながら容易に設定できる。
【００６７】
なお、制御部７０が、設定表示レイアウトデータＤ４２による表示領域の一部として、タイトル表示領域データＤ４２３と機能毎のタイトルデータＤ４２ｃとに基づいて、選択されている機能のタイトル（ここでは、「設定温度自動復帰」）を表示させる点は同様である。
【００６８】
―ピークカットについて―
図１６に、「ピークカット」の設定表示画面表示を行っている空調コントローラ１の様子を示す。ここで、「ピークカット」は、省エネ設定の機能の一部であり、消費電力が最も高くなる時間帯における消費電力を抑えることができる機能である。
【００６９】
ここでは、図１６に示すように、設定表示画面において、時刻指定と空気調和装置１００の運転出力の％を設定できる。
【００７０】
―静音モードについて―
図１７に、「静音モード」の設定表示画面表示を行っている空調コントローラ１の様子を示す。ここで「静音モード」は、室外機２の圧縮機等の運転を室外制御部６が制御することで、騒音を低減させる機能である。
【００７１】
ここでは、図１７に示すように、設定表示画面において、所定時間と静かさのレベルとを設定することができる。
【００７２】
＜空調コントローラ１の特徴＞
（１）
上記実施形態の空調コントローラ１では、制御部７０は、ＬＣＤ７５において、十字キー１１の操作入力により設定を受け付けた数値データのみ、単独で表示するのではなく、設定表示レイアウトデータＤ４２に含まれる設定表示領域データＤ４２２と説明表示領域データＤ４２１との各表示領域を用いて、動作説明データＤ４２ａと関係説明データＤ４２ｂと一緒に一画面中に十字キー１１から操作入力された数値データを表示させる。このため、単に数値が表示されるだけでなく、空気調和装置１００に実行させる機能の動作の説明と、機能の動作の説明と数値との関係が説明されているため、ユーザは、設定数値が空気調和装置１００のどのような機能の動作における設定なのか、容易に把握することができる。これにより、設定表示領域データＤ４２２には、十字キー１１の操作入力により受け付けた数詞データが表示されていくため、ユーザは、空気調和装置１００のどのような機能の動作における設定を行っているのかＬＣＤ７５の表示を視認して自覚しながら設定することができる。
【００７３】
なお、上記のように、ＬＣＤ７５における表示に、動作説明、関係説明、数値の各データが一画面上に表示されているため、ユーザは、画面をみるだけで、設定によって実行される運転を把握することができ、別途、表示に関する取り扱い説明書等で調べる必要がなく、手間が省ける。
【００７４】
（２）
上記実施形態の空調コントローラ１では、設定表示画面において、設定中の機能のタイトルをＬＣＤ７５の画面の上方に表示させておくことで、ユーザは、容易に設定中の機能を把握できる。このため、ユーザの使い勝手を向上させることができる。
【００７５】
（３）
上記実施形態の空調コントローラ１では、図１４に示すように、設定表示領域データＤ４２２が複数同時に表示されており、ユーザがそれぞれの値を十字キー１１から入力する場合において、ユーザは、複数の設定表示領域データＤ４２２のうち入力を済ませた値を把握しながら未入力の設定表示領域データＤ４２２の設定を行うことができる。これにより、ユーザは、各設定数値との関係を把握しながら十字キー１１において設定入力を行うことができる。
【００７６】
（４）
上記実施形態の空調コントローラ１では、図１３に示すように、設定上位レイアウトデータＤ３において機能内容説明タイトル（「機能説明」）と設定タイトル（「条件設定（冷房時）」）とが表示されている状態で、制御部７０は、各タイトルのいずれかの選択を十字キー１１において受け付ける。そして、各タイトルデータには、データが直接リンクされているため、選択に応じて機能内容説明データ（図１５に示す「一定時間後に元の設定温度に戻ります。自動モード選択時は無効です。」）が機能内容説明レイアウトデータ（図１５に示す表示レイアウト）において直接表示されたり、動作説明データＤ４２ａ（図１４に示す「冷房設定温度が」や「戻る」）や関係説明データ（図１４に示す「分後に」や「℃に」）や数値データ（図１４に示す「３０」や「２８」）を設定表示レイアウトデータＤ４２において表示させることができる。この場合、機能内容説明レイアウトデータＤ４１を表示させた後に、上位の階層（設定上位レイアウトデータＤ３による表示）に一つだけ戻るだけで、設定表示レイアウトデータＤ４２の表示に推移することができる。これにより、上位の階層に大幅に戻るような操作を行うことなく、各表示を行うことができる。
【産業上の利用可能性】
【００７７】
本発明を利用すれば、表示内容だけで機能の動作と設定値との関係を把握することが可能なため、特に、設定内容を具体的に表示する空調コントローラに適用した場合に有用である。
【図面の簡単な説明】
【００７８】
【図１】本発明の一実施形態にかかる空調コントローラが採用された空気調和装置の概略構成図である。
【図２】空気調和装置と空調コントローラの概略ブロック構成図ある。
【図３】空調コントローラのブロック構成図である。
【図４】空調コントローラの基本画面の表示状態を示す図である。
【図５】空調コントローラのメニュー選択表示画面の表示状態を示す図である。
【図６】空調コントローラのメニュー選択表示画面のタイマー設定が選択された表示状態を示す図である。
【図７】空調コントローラの詳細機能選択画面の表示状態を示す図である。
【図８】空調コントローラの設定上位画面の表示状態を示す図である。
【図９】空調コントローラの機能内容説明画面の表示状態を示す図である。
【図１０】空調コントローラの設定表示画面の表示状態を示す図である。
【図１１】空調コントローラのメニュー選択表示画面の省エネ設定が選択された表示状態を示す図である。
【図１２】空調コントローラの詳細機能選択画面の表示状態を示す図である。
【図１３】空調コントローラの設定上位画面の表示状態を示す図である。
【図１４】空調コントローラの設定表示画面の表示状態を示す図である。
【図１５】空調コントローラの機能内容説明画面の表示状態を示す図である。
【図１６】空調コントローラのピークカット機能の設定表示画面の表示状態を示す図である。
【図１７】空調コントローラの静音モード機能の設定表示画面の表示状態を示す図である。
【符号の説明】
【００７９】
１  空調コントローラ
２  室外機
３  室内機
５  室内制御部
６  室外制御部
１１  十字キー
１２  確定ボタン
１３  運転／停止ボタン
１４  キャンセルボタン
１５  運転切換ボタン
１６  風量調節ボタン
７０  制御部
７１  ＲＯＭ
７２  ＲＡＭ
７３  データベース
７４  通信部
７５  ＬＣＤ
１００  空気調和装置
【図１】
2008196779.tif 000003
【図２】
2008196779.tif 000004
【図３】
2008196779.tif 000005
【図４】
2008196779.tif 000006
【図５】
2008196779.tif 000007
【図６】
2008196779.tif 000008
【図７】
2008196779.tif 000009
【図８】
2008196779.tif 000010
【図９】
2008196779.tif 000011
【図１０】
2008196779.tif 000012
【図１１】
2008196779.tif 000013
【図１２】
2008196779.tif 000014
【図１３】
2008196779.tif 000015
【図１４】
2008196779.tif 000016
【図１５】
2008196779.tif 000017
【図１６】
2008196779.tif 000018
【図１７】
2008196779.tif 000019